(57)【要約】【課題】広告依頼者が広告掲載者に広告掲載者のｗｅｂページへの掲載を依頼した広告情報が、ユーザに自発的に閲覧されているかどうかを明らかにする広告情報配信方法を提供し、広告依頼者と広告掲載者の間において、合理的に算出された広告料金の授受を行うことを可能とする広告料金の算出方法を提供する。【解決手段】インターネットにおいて、インターネットに接続するユーザが、インターネットに接続するユーザ端末で、ブラウザなどのｗｅｂページ閲覧ソフトウェアを用いて閲覧するｗｅｂページ上に設けられた広告情報の表示を制御する領域が、ユーザ端末のポインティングデバイスのポインタに指し示めされることによって、広告情報がｗｅｂページ上に表示されるステップと、前記ユーザ端末のポインティングデバイスのポインタに指し示されることによってｗｅｂページ上に表示される広告情報の表示の履歴を記録するステップと、を備えること特徴とする広告情報配信方法と該広告情報配信方法に基づく広告料金の算出方法。【選択図】図８
2004030146.tif 000002
【特許請求の範囲】
【請求項１】
インターネットにおいて、
インターネットに接続するユーザが、インターネットに接続するユーザ端末で、ブラウザなどのｗｅｂページ閲覧ソフトウェアを用いて閲覧するｗｅｂページに上に設けられた、広告情報の表示を制御する領域が、ユーザ端末のポインティングデバイスのポインタに指し示めされることによって、広告情報がｗｅｂページ上に表示されるステップと、
前記広告情報の表示を制御する領域が、前記ユーザ端末のポインティングデバイスのポインタに指し示されたことを履歴として記録するステップと、
を備えること特徴とする広告情報配信方法。
【請求項２】
インターネットにおいて、
インターネットに接続するユーザが、インターネットに接続するユーザ端末で、ブラウザなどのｗｅｂページ閲覧ソフトウェアを用いて閲覧するｗｅｂページに上に設けられた、広告情報の表示を制御する領域が、ユーザ端末のポインティングデバイスのポインタに指し示めされることによって、広告情報がｗｅｂページ上に吹き出し状に表示されるステップと、
前記広告情報の表示を制御する領域が、前記ユーザ端末のポインティングデバイスのポインタに指し示されたことを履歴として記録するステップと、
を備えること特徴とする広告情報配信方法。
【請求項３】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
前記広告情報の表示を制御する領域が、前記ユーザ端末のポインティングデバイスのポインタに指し示されたことを履歴として記録するステップと、
を備えること特徴とする広告情報配信方法。
【請求項４】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に吹き出し状に表示されるステップと、
前記広告情報の表示を制御する領域が、前記ユーザ端末のポインティングデバイスのポインタに指し示されたことを履歴として記録するステップと、
を備えること特徴とする広告情報配信方法。
【請求項５】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
該広告情報が広告配信サーバからブラウザに配信されたことを履歴として記録するステップと、
を備えること特徴とする広告情報配信方法。
【請求項６】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に吹き出し状に表示されるステップと、
該広告情報が広告配信サーバからブラウザに配信されたことを履歴として記録するステップと、
を備えること特徴とする広告情報配信方法。
【請求項７】
請求項３または請求項４に記載の広告情報配信方法であって、
前記広告情報の表示を制御する領域が、前記ユーザ端末のポインティングデバイスのポインタに指し示されたことを履歴として記録するステップを、
前記広告情報を配信する広告配信サーバが行うこと特徴とする広告情報配信方法。
【請求項８】
請求項３または請求項４に記載の広告情報配信方法であって、
前記広告情報の表示を制御する領域が、前記ユーザ端末のポインティングデバイスのポインタに指し示されたことを履歴として記録するステップを、
前記広告情報を配信する広告配信サーバとは異なる別のサーバが行うこと特徴とする広告情報配信方法。
【請求項９】
請求項１、請求項２、請求項３、請求項４、請求項５、請求項６、請求項７または請求項８に記載の広告情報配信方法であって、
前記広告情報の表示を制御する領域が、ユーザ端末のポインティングデバイスのポインタに指し示めされることによって、ユーザ端末から効果音が出力されるステップを更に備えることを特徴とする広告情報配信方法。
【請求項１０】
請求項３、４、７、または請求項８に記載の広告情報配信方法であって、
前記広告情報の表示を制御する領域が、前記ユーザ端末のポインティングデバイスのポインタに指し示されたことの履歴に基づいて、前記広告配信サーバが配信する広告情報の内容を決定するステップを備えることを特徴とする広告情報配信方法。
【請求項１１】
請求項５または請求項６に記載の広告情報配信方法であって、
該広告情報が広告配信サーバからブラウザに配信されたことの履歴に基づいて、前記広告配信サーバが配信する広告情報の内容を決定するステップを更に備えることを特徴とする広告情報配信方法。
【請求項１２】
請求項１１または請求項１２に記載の広告情報配信方法であって、
前記広告情報の表示を制御する領域が、ユーザ端末のポインティングデバイスのポインタに指し示めされることによって、ユーザ端末から効果音が出力されるステップを更に備えることを特徴とする広告情報配信方法。
【請求項１３】
請求項１、請求項２、請求項３、請求項４、請求項５、請求項６、請求項７、請求項８、請求項９、請求項１０、請求項１１または請求項１２に記載の広告情報配信方法であって、
前記広告情報の表示を制御する領域がリンク情報を備え、ユーザが、前記広告情報の表示を制御する領域をクリックすることで、リンク情報に指定されたｗｅｂページに移行するステップを更に備えることを特徴とするの広告情報配信方法。
【請求項１４】
請求項１、請求項２、請求項３、請求項４、請求項５、請求項６、請求項７、請求項８、請求項９、請求項１０、請求項１１または請求項１２に記載の広告情報配信方法であって、
ｗｅｂページ上に表示される広告情報がリンク情報を備え、ユーザが、前記ｗｅｂページ上に表示された広告情報の領域をクリックすることで、リンク情報に指定されたｗｅｂページに移行するステップを更に備えることを特徴とするの広告情報配信方法。
【請求項１５】
インターネットにおいて、
インターネットに接続するユーザが、インターネットに接続するユーザ端末で、ブラウザなどのｗｅｂページ閲覧ソフトウェアを用いて閲覧するｗｅｂページに上に設けられた、広告情報の表示を制御する領域が、ユーザ端末のポインティングデバイスのポインタに指し示めされることによって、広告情報がｗｅｂページ上に表示されるステップと、
前記広告情報の表示を制御する領域が、前記ユーザ端末のポインティングデバイスのポインタに指し示されたことを履歴として記録するステップと、
前記広告情報の表示を制御する領域が、前記ユーザ端末のポインティングデバイスのポインタに指し示されたことを履歴として記録した履歴情報に基づいて、前記広告情報の広告料金を算出するステップと、
を備えること特徴とする広告料金の算出方法。
【請求項１６】
インターネットにおいて、
インターネットに接続するユーザが、インターネットに接続するユーザ端末で、ブラウザなどのｗｅｂページ閲覧ソフトウェアを用いて閲覧するｗｅｂページに上に設けられた、広告情報の表示を制御する領域が、ユーザ端末のポインティングデバイスのポインタに指し示めされることによって、広告情報がｗｅｂページ上に吹き出し状に表示されるステップと、
前記広告情報の表示を制御する領域が、前記ユーザ端末のポインティングデバイスのポインタに指し示されたことを履歴として記録するステップと、
前記広告情報の表示を制御する領域が、前記ユーザ端末のポインティングデバイスのポインタに指し示されたことを履歴として記録した履歴情報に基づいて、前記広告情報の広告料金を算出するステップと、
を備えること特徴とする広告料金の算出方法。
【請求項１７】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
前記広告情報の表示を制御する領域が、前記ユーザ端末のポインティングデバイスのポインタに指し示されたことを履歴として記録するステップと、
前記広告情報の表示を制御する領域が、前記ユーザ端末のポインティングデバイスのポインタに指し示されたことを履歴として記録した履歴情報に基づいて、前記広告情報の広告料金を算出するステップと、
を備えること特徴とする広告料金の算出方法。
【請求項１８】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に吹き出し状に表示されるステップと、
前記広告情報の表示を制御する領域が、前記ユーザ端末のポインティングデバイスのポインタに指し示されたことを履歴として記録するステップと、
前記広告情報の表示を制御する領域が、前記ユーザ端末のポインティングデバイスのポインタに指し示されたことを履歴として記録された履歴情報に基づいて、前記広告情報の広告料金を算出するステップと、
を備えること特徴とする広告料金の算出方法。
【請求項１９】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
該広告情報が広告配信サーバからブラウザに配信されたことを履歴として記録するステップと、
該広告情報が広告配信サーバからブラウザに配信されたことを履歴として記録された履歴情報に基づいて、前記広告情報の広告料金を算出するステップと、
を備えること特徴とする広告料金の算出方法。
【請求項２０】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に吹き出し状に表示されるステップと、
該広告情報が広告配信サーバからブラウザに配信されたことを履歴として記録するステップと、
該広告情報が広告配信サーバからブラウザに配信されたことを履歴として記録された履歴情報に基づいて、前記広告情報の広告料金を算出するステップと、
を備えること特徴とする広告料金の算出方法。
【請求項２１】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報がｗｅｂページ上に表示されるステップと、
前記広告情報の表示を制御する領域が、前記ユーザ端末のポインティングデバイスのポインタに指し示されたことを履歴として記録するステップと、
前記広告情報の表示を制御する領域がリンク情報を備え、ユーザが、前記広告情報の表示を制御する領域をクリックすることで、リンク情報に指定されたｗｅｂページに移行するステップと、
ユーザが前記広告情報の表示を制御する領域をクリックすることで、リンク情報に指定されたｗｅｂページに移行したことを履歴として記録するステップと、
前記広告情報の表示を制御する領域が、前記ユーザ端末のポインティングデバイスのポインタに指し示されたことを履歴として記録した履歴情報と、ユーザが前記広告情報の表示を制御する領域をクリックすることでリンク情報に指定されたｗｅｂページに移行したことを履歴として記録された履歴情報と、に基づいて前記広告情報の広告料金を算出するステップと、
を備えること特徴とする広告料金の算出方法。
【請求項２２】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
該広告情報が広告配信サーバからブラウザに配信されたことを履歴として記録するステップと、
前記広告情報の表示を制御する領域がリンク情報を備え、ユーザが、前記広告情報の表示を制御する領域をクリックすることで、リンク情報に指定されたｗｅｂページに移行するステップと、
ユーザが前記広告情報の表示を制御する領域をクリックすることで、リンク情報に指定されたｗｅｂページに移行したことを履歴として記録するステップと、
該広告情報が広告配信サーバからブラウザに配信されたことを履歴として記録された履歴情報と、ユーザが前記広告情報の表示を制御する領域をクリックすることでリンク情報に指定されたｗｅｂページに移行したことを履歴として記録された履歴情報と、に基づいて前記広告情報の広告料金を算出するステップと、
を備えること特徴とする広告料金の算出方法。
【請求項２３】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報がｗｅｂページ上に表示されるステップと、
前記広告情報の表示を制御する領域が、前記ユーザ端末のポインティングデバイスのポインタに指し示されたことを履歴として記録するステップと、
ｗｅｂページ上に表示される広告情報がリンク情報を備え、前記ｗｅｂページ上に表示された広告情報の領域をユーザがクリックすることで、リンク情報に指定されたｗｅｂページに移行するステップと、
前記ｗｅｂページ上に表示された広告情報の領域をユーザがクリックすることで、リンク情報に指定されたｗｅｂページに移行したことを履歴として記録するステップと、
前記広告情報の表示を制御する領域が前記ユーザ端末のポインティングデバイスのポインタに指し示されたことを履歴として記録した履歴情報と、前記ｗｅｂページ上に表示された広告情報の領域をユーザがクリックすることで、リンク情報に指定されたｗｅｂページに移行したことを履歴として記録された履歴情報と、に基づいて前記広告情報の広告料金を算出するステップと、
を備えること特徴とする広告料金の算出方法。
【請求項２４】
インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
該広告情報が広告配信サーバからブラウザに配信されたことを履歴として記録するステップと、
ｗｅｂページ上に表示される広告情報がリンク情報を備え、前記ｗｅｂページ上に表示された広告情報の領域をユーザがクリックすることで、リンク情報に指定されたｗｅｂページに移行するステップと、
前記ｗｅｂページ上に表示された広告情報の領域をユーザがクリックすることで、リンク情報に指定されたｗｅｂページに移行したことを履歴として記録するステップと、
該広告情報が広告配信サーバからブラウザに配信されたことを履歴として記録された履歴情報と、前記ｗｅｂページ上に表示された広告情報の領域をユーザがクリックすることで、リンク情報に指定されたｗｅｂページに移行したことを履歴として記録された履歴情報と、に基づいて前記広告情報の広告料金を算出するステップと、
を備えること特徴とする広告料金の算出方法。
【発明の詳細な説明】
【０００１】
【発明の属する技術分野】
本発明は、インターネットにおけるｗｅｂページ上の広告情報配信方法、広告料金の案出方法に関する。
【０００２】
【従来の技術】
従来、インターネットにおける各種ｗｅｂページ上の商品・サービスなどの広告情報配信方法には、以下のようなものがある。
【０００３】
例えば、一般によく知られているバナー広告などに用いられている広告情報配信方法においては、商品名もしく会社名などを特定もしくは示唆し、広告主がインターネットに接続するユーザ（以下、単に、「ユーザ」とする）を誘導しようとしているｗｅｂページ（以下、「ターゲットｗｅｂページ」とする）へユーザを誘導しようとする、文字、画像、記号などからなる簡略的なバナー広告情報（以下、「簡略広告情報」とする）と、前記商品、会社などに関するより詳しい情報を有するターゲットｗｅｂページと、をリンクさせ、
ユーザが、ｗｅｂページ上の前記簡略広告情報の表示部をクリックしたときに、ｗｅｂブラウザに表示されているｗｅｂページが、前記ターゲットｗｅｂページに移行するとともに、ユーザが前記簡略広告情報をクリックしたことが履歴として記録される。
【０００４】
図１は、従来の広告情報配信方法における広告情報の配信手順の概略を示した図である。ステップＳ１０１のように、ユーザは、ｗｅｂページ閲覧指示をブラウザに対して行う。次に、ステップＳ１０２のように、ブラウザは、ユーザからのｗｅｂページ閲覧指示を受けて、該ｗｅｂページデータを有するｗｅｂサーバに、ｗｅｂページ閲覧要求信号送信を行う。次に、ステップＳ１０３のように、ｗｅｂサーバは、ブラウザからのｗｅｂページ閲覧要求信号を受信する。次に、ステップＳ１０４のように、ｗｅｂサーバは、ブラウザに、ｗｅｂページデータの送信を行う。次に、ステップＳ１０５のように、ブラウザは、ｗｅｂページデータを受信する。次に、ステップＳ１０６のように、ブラウザは、受信したｗｅｂページデータの解析を行う。ここで、ブラウザは、ｗｅｂページデータ内の簡略広告情報データを認識し、ステップＳ１０７のように、簡略広告情報データに指定されているリンク先（広告配信サーバ）に、簡略広告情報データ要求信号を送信する。次に、ステップＳ１０８のように、広告配信サーバは、ブラウザからの簡略広告情報データ要求信号を受信する。次に、ステップＳ１０９のように、履歴記録サーバは、簡略広告情報が要求されたことを履歴として記録する。次に、ステップＳ１１０のように、広告配信サーバは、ブラウザに、簡略広告情報データを送信する。次に、ステップＳ１１１のように、ブラウザは、広告配信サーバからの簡略広告情報データを受信する。次に、ステップＳ１１２のように、ブラウザは、簡略広告情報を含むｗｅｂページを表示する。次に、ステップＳ１１３のように、ユーザは、簡略広告情報を含むｗｅｂページの閲覧を開始する。
【０００５】
次に、ユーザが、簡略広告情報を閲覧し、簡略広告情報に興味が生じるなどして、ターゲットｗｅｂページへの移行を意図した場合、ステップＳ１１４のように、簡略広告情報をクリックする。次に、ステップＳ１１５のように、ブラウザは、広告情報配信サーバに、簡略広告情報がクリックされたことを通知するために、広告配信サーバに、簡略広告情報のクリック発生信号を送信する。次に、ステップＳ１１６のように、広告情報配信サーバは、簡略広告情報のクリック発生信号を受信する。次に、ステップＳ１１７のように、履歴記録サーバは、簡略広告情報がクリックされたことを履歴として記録する。次に、ステップＳ１１８のように、広告配信サーバは、ｗｅｂブラウザに、ターゲットｗｅｂページのアドレスなどのターゲットｗｅｂページ移行データ情報を送信する。次に、ステップＳ１１９のように、ブラウザは、広告配信サーバからのターゲットｗｅｂページ移行情報データを受信する。次に、ステップＳ１２０のように、ブラウザは、ターゲットｗｅｂページ移行情報データの解析を行う。次に、ステップＳ１２１のように、ブラウザは、ターゲットｗｅｂページへ移行して、ターゲットｗｅｂページを表示する。次に、ステップＳ１２２のように、ユーザは、ターゲットｗｅｂページの閲覧を開始する。
【０００６】
このような広告情報配信方法を基にした従来の広告料金の算出方法には、主に、簡略広告情報がｗｅｂページ上に表示された回数に基づいて算出する方法（以下、「表示基準算出方法」とする）と、簡略広告情報がクリックされ、ユーザがターゲットｗｅｂページに移行した回数に基づいて算出する方法（以下、「移行基準算出方法」とする）とがある。
【０００７】
【発明が解決しようとする課題】
しかしながら、従来の広告情報配信方法には、以下に述べるような課題があった。
【０００８】
従来の広告情報配信方法の場合、ユーザが閲覧を所望するｗｅｂページに強制的に付加されて表示される簡略広告情報を、ユーザは能動的・自発的に要求しているわけではない。
このため、広告情報をｗｅｂページ上に掲載することを依頼する者（以下、「広告依頼者」とする）が、広告情報をｗｅｂページ上に掲載する者（以下、「広告掲載者」とする）に、広告掲載者のｗｅｂページ上への掲載を依頼した広告情報（簡略広告情報）を、ユーザが自発的に閲覧しているかどうか明らかでない、という問題があった。
【０００９】
また、従来の広告料金の算出方法において、前記表示基準算出方法の場合、広告掲載者は、簡略広告情報をｗｅｂページ上に掲載することで、いわゆる広告掲載料金を得ることができる。しかしながら、広告依頼者は、簡略広告が広告掲載者のｗｅｂページ上に掲載されても、実際にユーザが簡略広告を閲覧したかどうか分からないが、広告掲載料金を広告掲載者へ支払わなければならないので、いわゆる広告の無駄うちが多くなるという問題があった。
【００１０】
また、従来の広告料金の算出方法において、前記移行基準算出方法の場合、広告依頼者は、ユーザが簡略広告からターゲットｗｅｂページへ移行した場合のみ、広告掲載者へいわゆる広告掲載料金を支払えばよいので、いわゆる広告の無駄うちを減らすことができる。しかしながら、広告掲載者は、ｗｅｂページ上に簡略広告を掲載しているにも関わらず、ユーザが簡略広告情報をクリックしてターゲットｗｅｂページへ移行しない限り、広告料金を得ることができないという問題があった。
【００１１】
以上まとめると、従来の広告情報配信方法においては、広告依頼者が広告掲載者に依頼して、広告掲載者のｗｅｂページに掲載されている広告情報が、ユーザに閲覧されているかどうかが明らかでないという問題があり、従来の広告情報配信方法に基づく、従来の広告料金の算出方法においては、広告依頼者と広告掲載者の間において、合理的に広告料金の算出することが出来ないという問題があった。
【００１２】
【課題を解決するための手段】
本発明は、このような状況を鑑みてなされたものであり、本発明は、広告依頼者が広告掲載者に依頼して、広告掲載者のｗｅｂページに掲載されている広告情報が、ユーザに閲覧されているかどうかを明らかにする広告情報配信方法を提供し、広告依頼者と広告掲載者の間において、合理的な広告料金の算出を行うことを可能とする広告料金の算出方法を提供するものである。すなわち、本発明の広告情報配信方法は、インターネットにおいて、
インターネットに接続するユーザが、インターネットに接続するユーザ端末で、ブラウザなどのｗｅｂページ閲覧ソフトウェアを用いて閲覧するｗｅｂページに上に設けられた、広告情報の表示を制御する領域が、ユーザ端末のポインティングデバイスのポインタに指し示めされることによって、広告情報がｗｅｂページ上に表示されるステップと、
前記広告情報の表示を制御する領域が、前記ユーザ端末のポインティングデバイスのポインタに指し示されたことを履歴として記録するステップと、
を備えること特徴とする広告情報配信方法である。
【００１３】
また、本発明の広告情報配信方法は、インターネットにおいて、
インターネットに接続するユーザが、インターネットに接続するユーザ端末で、ブラウザなどのｗｅｂページ閲覧ソフトウェアを用いて閲覧するｗｅｂページに上に設けられた、広告情報の表示を制御する領域が、ユーザ端末のポインティングデバイスのポインタに指し示めされることによって、広告情報がｗｅｂページ上に吹き出し状に表示されるステップと、
前記広告情報の表示を制御する領域が、前記ユーザ端末のポインティングデバイスのポインタに指し示されたことを履歴として記録するステップと、
を備えること特徴とする広告情報配信方法である。
【００１４】
また、本発明の広告情報配信方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
前記広告情報の表示を制御する領域が、前記ユーザ端末のポインティングデバイスのポインタに指し示されたことを履歴として記録するステップと、
を備えること特徴とする広告情報配信方法である。
【００１５】
また、本発明の広告情報配信方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に吹き出し状に表示されるステップと、
前記広告情報の表示を制御する領域が、前記ユーザ端末のポインティングデバイスのポインタに指し示されたことを履歴として記録するステップと、
を備えること特徴とする広告情報配信方法である。
【００１６】
また、本発明の広告情報配信方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
該広告情報が広告配信サーバからブラウザに配信されたことを履歴として記録するステップと、
を備えること特徴とする広告情報配信方法である。
【００１７】
また、本発明の広告情報配信方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に吹き出し状に表示されるステップと、
該広告情報が広告配信サーバからブラウザに配信されたことを履歴として記録するステップと、
を備えること特徴とする広告情報配信方法である。
【００１８】
また、本発明の広告情報配信方法は、前記広告情報の表示を制御する領域が、前記ユーザ端末のポインティングデバイスのポインタに指し示されたことを履歴として記録するステップを、
前記広告情報を配信する広告配信サーバが行うこと特徴とする広告情報配信方法である。
【００１９】
また、本発明の広告情報配信方法は、前記広告情報の表示を制御する領域が、前記ユーザ端末のポインティングデバイスのポインタに指し示されたことを履歴として記録するステップを、
前記広告情報を配信する広告配信サーバとは異なる別のサーバが行うこと特徴とする広告情報配信方法である。
【００２０】
また、本発明の広告情報配信方法は、前記広告情報の表示を制御する領域が、ユーザ端末のポインティングデバイスのポインタに指し示めされることによって、ユーザ端末から効果音が出力されるステップを更に備えることを特徴とする広告情報配信方法である。
【００２１】
また、本発明の広告情報配信方法は、前記広告情報の表示を制御する領域が、前記ユーザ端末のポインティングデバイスのポインタに指し示されたことの履歴に基づいて、前記広告配信サーバが配信する広告情報の内容を決定するステップを更に備えることを特徴とする広告情報配信方法である。
【００２２】
また、本発明の広告情報配信方法は、該広告情報が広告配信サーバからブラウザに配信されたことの履歴に基づいて、前記広告配信サーバが配信する広告情報の内容を決定するステップを更に備えることを特徴とする広告情報配信方法である。
【００２３】
また、本発明の広告情報配信方法は、前記広告情報の表示を制御する領域が、ユーザ端末のポインティングデバイスのポインタに指し示めされることによって、ユーザ端末から効果音が出力されるステップを更に備えることを特徴とする広告情報配信方法である。
【００２４】
また、本発明の広告情報配信方法は、前記広告情報の表示を制御する領域がリンク情報を備え、ユーザが、前記広告情報の表示を制御する領域をクリックすることで、リンク情報に指定されたｗｅｂページに移行するステップを更に備えることを特徴とするの広告情報配信方法である。
【００２５】
また、本発明の広告情報配信方法は、ｗｅｂページ上に表示される広告情報がリンク情報を備え、ユーザが、前記ｗｅｂページ上に表示された広告情報の領域をクリックすることで、リンク情報に指定されたｗｅｂページに移行するステップを更に備えることを特徴とするの広告情報配信方法である。
【００２６】
また、本発明の広告料金の算出方法は、インターネットにおいて、
インターネットに接続するユーザが、インターネットに接続するユーザ端末で、ブラウザなどのｗｅｂページ閲覧ソフトウェアを用いて閲覧するｗｅｂページに上に設けられた、広告情報の表示を制御する領域が、ユーザ端末のポインティングデバイスのポインタに指し示めされることによって、広告情報がｗｅｂページ上に表示されるステップと、
前記広告情報の表示を制御する領域が、前記ユーザ端末のポインティングデバイスのポインタに指し示されたことを履歴として記録するステップと、
前記広告情報の表示を制御する領域が、前記ユーザ端末のポインティングデバイスのポインタに指し示されたことを履歴として記録した履歴情報に基づいて、前記広告情報の広告料金を算出するステップと、
を備えること特徴とする広告料金の算出方法である。
【００２７】
また、本発明の広告料金の算出方法は、インターネットにおいて、
インターネットに接続するユーザが、インターネットに接続するユーザ端末で、ブラウザなどのｗｅｂページ閲覧ソフトウェアを用いて閲覧するｗｅｂページに上に設けられた、広告情報の表示を制御する領域が、ユーザ端末のポインティングデバイスのポインタに指し示めされることによって、広告情報がｗｅｂページ上に吹き出し状に表示されるステップと、
前記広告情報の表示を制御する領域が、前記ユーザ端末のポインティングデバイスのポインタに指し示されたことを履歴として記録するステップと、
前記広告情報の表示を制御する領域が、前記ユーザ端末のポインティングデバイスのポインタに指し示されたことを履歴として記録した履歴情報に基づいて、前記広告情報の広告料金を算出するステップと、
を備えること特徴とする広告料金の算出方法である。
【００２８】
また、本発明の広告料金の算出方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
前記広告情報の表示を制御する領域が、前記ユーザ端末のポインティングデバイスのポインタに指し示されたことを履歴として記録するステップと、
前記広告情報の表示を制御する領域が、前記ユーザ端末のポインティングデバイスのポインタに指し示されたことを履歴として記録した履歴情報に基づいて、前記広告情報の広告料金を算出するステップと、
を備えること特徴とする広告料金の算出方法である。
【００２９】
また、本発明の広告料金の算出方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に吹き出し状に表示されるステップと、
前記広告情報の表示を制御する領域が、前記ユーザ端末のポインティングデバイスのポインタに指し示されたことを履歴として記録するステップと、
前記広告情報の表示を制御する領域が、前記ユーザ端末のポインティングデバイスのポインタに指し示されたことを履歴として記録された履歴情報に基づいて、前記広告情報の広告料金を算出するステップと、
を備えること特徴とする広告料金の算出方法である。
【００３０】
また、本発明の広告料金の算出方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
該広告情報が広告配信サーバからブラウザに配信されたことを履歴として記録するステップと、
該広告情報が広告配信サーバからブラウザに配信されたことを履歴として記録された履歴情報に基づいて、前記広告情報の広告料金を算出するステップと、
を備えること特徴とする広告料金の算出方法である。
【００３１】
また、本発明の広告料金の算出方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に吹き出し状に表示されるステップと、
該広告情報が広告配信サーバからブラウザに配信されたことを履歴として記録するステップと、
該広告情報が広告配信サーバからブラウザに配信されたことを履歴として記録された履歴情報に基づいて、前記広告情報の広告料金を算出するステップと、
を備えること特徴とする広告料金の算出方法である。
【００３２】
また、本発明の広告料金の算出方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報がｗｅｂページ上に表示されるステップと、
前記広告情報の表示を制御する領域が、前記ユーザ端末のポインティングデバイスのポインタに指し示されたことを履歴として記録するステップと、
前記広告情報の表示を制御する領域がリンク情報を備え、ユーザが、前記広告情報の表示を制御する領域をクリックすることで、リンク情報に指定されたｗｅｂページに移行するステップと、
ユーザが前記広告情報の表示を制御する領域をクリックすることで、リンク情報に指定されたｗｅｂページに移行したことを履歴として記録するステップと、
前記広告情報の表示を制御する領域が、前記ユーザ端末のポインティングデバイスのポインタに指し示されたことを履歴として記録した履歴情報と、ユーザが前記広告情報の表示を制御する領域をクリックすることでリンク情報に指定されたｗｅｂページに移行したことを履歴として記録された履歴情報と、に基づいて前記広告情報の広告料金を算出するステップと、
を備えること特徴とする広告料金の算出方法である。
【００３３】
また、本発明の広告料金の算出方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
該広告情報が広告配信サーバからブラウザに配信されたことを履歴として記録するステップと、
前記広告情報の表示を制御する領域がリンク情報を備え、ユーザが、前記広告情報の表示を制御する領域をクリックすることで、リンク情報に指定されたｗｅｂページに移行するステップと、
ユーザが前記広告情報の表示を制御する領域をクリックすることで、リンク情報に指定されたｗｅｂページに移行したことを履歴として記録するステップと、
該広告情報が広告配信サーバからブラウザに配信されたことを履歴として記録された履歴情報と、ユーザが前記広告情報の表示を制御する領域をクリックすることでリンク情報に指定されたｗｅｂページに移行したことを履歴として記録された履歴情報と、に基づいて前記広告情報の広告料金を算出するステップと、
を備えること特徴とする広告料金の算出方法である。
【００３４】
また、本発明の広告料金の算出方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報がｗｅｂページ上に表示されるステップと、
前記広告情報の表示を制御する領域が、前記ユーザ端末のポインティングデバイスのポインタに指し示されたことを履歴として記録するステップと、
ｗｅｂページ上に表示される広告情報がリンク情報を備え、前記ｗｅｂページ上に表示された広告情報の領域をユーザがクリックすることで、リンク情報に指定されたｗｅｂページに移行するステップと、
前記ｗｅｂページ上に表示された広告情報の領域をユーザがクリックすることで、リンク情報に指定されたｗｅｂページに移行したことを履歴として記録するステップと、
前記広告情報の表示を制御する領域が前記ユーザ端末のポインティングデバイスのポインタに指し示されたことを履歴として記録した履歴情報と、前記ｗｅｂページ上に表示された広告情報の領域をユーザがクリックすることで、リンク情報に指定されたｗｅｂページに移行したことを履歴として記録された履歴情報と、に基づいて前記広告情報の広告料金を算出するステップと、
を備えること特徴とする広告料金の算出方法である。
【００３５】
また、本発明の広告料金の算出方法は、インターネットにおいて、
インターネットに接続するユーザが、インターネットに接続するユーザ端末で、ブラウザなどのｗｅｂページ閲覧ソフトウェアを用いて閲覧するｗｅｂページ上に設けられた、広告情報の表示を制御する領域が、ユーザ端末のポインティングデバイスのポインタに指し示めされることによって、広告情報が広告配信サーバからブラウザに配信されるステップと、
該広告情報がｗｅｂページ上に表示されるステップと、
該広告情報が広告配信サーバからブラウザに配信されたことを履歴として記録するステップと、
ｗｅｂページ上に表示される広告情報がリンク情報を備え、前記ｗｅｂページ上に表示された広告情報の領域をユーザがクリックすることで、リンク情報に指定されたｗｅｂページに移行するステップと、
前記ｗｅｂページ上に表示された広告情報の領域をユーザがクリックすることで、リンク情報に指定されたｗｅｂページに移行したことを履歴として記録するステップと、
該広告情報が広告配信サーバからブラウザに配信されたことを履歴として記録された履歴情報と、前記ｗｅｂページ上に表示された広告情報の領域をユーザがクリックすることで、リンク情報に指定されたｗｅｂページに移行したことを履歴として記録された履歴情報と、に基づいて前記広告情報の広告料金を算出するステップと、
を備えること特徴とする広告料金の算出方法である。
【００３６】
これらの広告情報配信方法を用いることにより、広告依頼者が広告掲載者に依頼して、広告掲載者のｗｅｂページに掲載されている広告情報が、ユーザに閲覧されているかどうかを明らかにすることができる。
【００３７】
また、これらの広告料金の算出方法を用いることにより、広告依頼者と広告掲載者の間において、合理的な広告料金の算出を行うことができる。
【００３８】
【発明の実施の形態】
本発明にかかる実施形態を以下に説明する。
【００３９】
ここで、本発明において前提部分となる、インターネット１０とユーザ端末６とｗｅｂサーバ７と履歴記録サーバ８と広告配信サーバ９との関係の概略を図２に示す。ユーザは、ユーザ端末６を用いてインターネット１０に接続する。ユーザは、ユーザ端末６が有するブラウザ１１で、インターネット１０上のｗｅｂページ１２を閲覧する。ｗｅｂページ１２はｗｅｂサーバ７によってインターネット１０上のユーザ端末６に配信される。広告配信サーバ９は、広告情報を配信する。履歴記録サーバ８は、ユーザ端末６からの要求、若しくは、広告配信サーバ９からの要求に応じて、広告情報に関する履歴を記録する。
【００４０】
ここで、本発明において前提部分となる広告情報の表示方法の例を、図３を用いて説明する。図３は、ｗｅｂページ上の広告情報の表示を制御する領域が、ユーザ端末のポインティングデバイスのポインタに指し示めされることによって、広告情報がｗｅｂページ上に表示される表示方法（以下、「指示呼応表示方法」とする）を用いて、ｗｅｂページ１０１上に広告情報５０１を表示した場合の一例を示している。すなわち、指示呼応表示方法を用いた広告情報の表示においては、図３（ａ）のように、ｗｅｂページ１０１は、広告情報の表示を制御する領域２０１と、広告情報表示領域４０１を備える。ｗｅｂページ１０１は、図３（ｂ）のように、広告情報の表示を制御する領域２０１が、ポインティングデバイスのポインタ３で指し示されると、図３（ｃ）のように、ｗｅｂページ１０１上に広告情報表示領域４０１に、広告情報５０１が表示される。
【００４１】
図４は、前記指示呼応表示方法を用いて、ｗｅｂページ１０２上に、複数の広告情報を表示した場合の一例を示している。図４において、ｗｅｂページ１０２はデジタルカメラＡの広告情報５０２の表示を制御する領域２０２と、デジタルカメラＢの広告情報５０３の表示を制御する領域２０３と、デジタルカメラＣの広告情報５０４の表示を制御する領域２０４と、広告情報表示領域４０２とを備えている。図４（ａ）においては、ポインティングデバイスのポインタ３がデジタルカメラＡの広告情報５０２の表示を制御する領域２０２を指し示し、デジタルカメラＡの広告情報５０２が、ｗｅｂページ１０２上の広告情報表示領域４０２に表示されている。図４（ｂ）においては、ポインティングデバイスのポインタ３がデジタルカメラＢの広告情報５０３の表示を制御する領域２０３を指し示し、デジタルカメラＢの広告情報５０３が、ｗｅｂページ１０２上の広告情報表示領域４０２に表示されている。図４（ｃ）にいては、ポインティングデバイスのポインタ３がデジタルカメラＣの広告情報５０４の表示を制御する領域２０４を指し示し、デジタルカメラＣの広告情報５０４が、ｗｅｂページ１０２上の広告情報表示領域４０２に表示されている。
【００４２】
このように、指示呼応表示方法を用いて、ｗｅｂページ上に広告情報を表示させると、ユーザが操作するポインティングデバイスのポインタが、広告情報の表示を制御する領域を指し示すことによってはじめて、広告情報がｗｅｂページ上に表示される。このため、広告情報の表示が、ユーザの自発的な意図に基づいて行われることになる。
【００４３】
次に、図５を用いて、本発明において前提部分となる、広告情報がｗｅｂページ上に、吹き出し状に表示される表示方法（以下、「吹き出し状表示方法」とする）について説明する。
【００４４】
吹き出し状表示方法においては、図５（ａ）のように、ｗｅｂページ１１１上に、広告情報の表示を制御する領域２１１が存在し、図５（ｂ）のように、ユーザが操作するポインティングデバイスのポインタ３が、広告情報の表示を制御する領域２１１を指し示すと、図５（ｃ）のように、広告情報５１１がｗｅｂページ上に重なって表示される。吹き出し状表示の特徴は、広告情報５１１の表示がポインティングデバイスの位置によって制御されることであり、ユーザが、クリック若しくはダブルクリックをしなくても、広告情報の表示を制御する領域２１１に、ポインティングデバイスのポインタ３を合わせるだけで広告情報５１１がｗｅｂページ１１１上に表示されることである。また、吹き出し状表示方法の特徴は、ポインティングデバイスのポインタ３を広告情報の表示を制御する領域２１１に合わせたとき、広告情報５１１が、ｗｅｂページ１１１上に、重なって、いわゆる吹き出し状に、表示されることである。また、吹き出し状表示方法の特徴は、ｗｅｂページ１１１とは別のｗｅｂページに移行することなく、広告情報５１１がｗｅｂページ１１１上に重なって表示されることである。
【００４５】
この、吹き出し状の表示方法を用いると、例えば、図６のように、ｗｅｂページのスペースを有効に使用して、広告情報を表示することが出来る。
図６において、ｗｅｂページ１１２上に、デジタルカメラＡの広告情報５１２の表示を制御する領域２１２、デジタルカメラＢの広告情報の表示を制御する領域２１３、デジタルカメラＣの広告情報の表示を制御する領域２１４と、を備えている。図６（ａ）は、ポインティングデバイスのポインタ３がデジタルカメラＡの広告情報の表示を制御する領域２１２を指し示し、デジタルカメラＡの広告情報５１２がｗｅｂページ１１２上に重なって表示されている。図６（ｂ）は、ポインティングデバイスのポインタ３がデジタルカメラＢの広告情報５１３の表示を制御する領域２１３を指し示し、デジタルカメラＢの広告情報５１３がｗｅｂページ１１２上に重なって表示されている。図６（ｃ）は、ポインティングデバイスのポインタ３がデジタルカメラＣの広告情報５１４の表示を制御する領域２１４を指し示し、デジタルカメラＣの広告情報５１４がｗｅｂページ１１２上に重なって表示されている。
【００４６】
ここで、例えば、吹き出し状表示方法に基づいて表示された広告情報は、ユーザが操作するポインティングデバイスのポインタが、広告情報の表示を制御する領域から外れたときに、表示されなくなるようにしてもよい。
【００４７】
このように、吹き出し状表示方法を用いて、ｗｅｂページ上に広告情報を表示させると、指示呼応表示方法を用いた場合と同じように、ユーザが操作するポインティングデバイスのポインタが、広告情報の表示を制御する領域を指し示すことによってはじめて、広告情報がｗｅｂページ上に表示される。このため、広告情報の表示が、ユーザの自発的な意図に基づいて行われることになる。また、吹き出し状表示方法を用いる場合には、ｗｅｂページ上の広告情報の表示領域が固定されていないので、ｗｅｂページ上に常に広告情報を表示している領域を確保している場合に比べて、ｗｅｂページのスペースが有効に使用される。
【００４８】
以上のような、吹き出し状の表示方法に基づいた広告情報の表示は、ｗｅｂページデータに、Ｊａｖａ（登録商標）Ｓｃｒｉｐｔなどのスクリプト言語で記述されたプログラム（以下、「吹き出し状表示プログラム」とする）などを組み込むことで実現できる。
【００４９】
図７は、吹き出し状表示プログラムを組み込んだｗｅｂページデータの一例である。
図７の例のｗｅｂページデータは、吹き出し状表示プログラム部１３を備え、広告情報の表示を制御する領域の定義部１４を備え、吹き出し状表示方法に基づいて表示される広告情報の定義部１５を備える。図７の例のｗｅｂページデータに基づいて、ブラウザ上に表示されるｗｅｂページにおいて、広告情報の表示を制御する領域の定義部１４によって、広告情報の表示を制御する領域がｗｅｂページ上に表示される。ｗｅｂページ上に表示された広告情報の表示を制御する領域がポインティングデバイスのポインタによって指し示されると、広告情報の表示を制御する領域の定義部１４に記述されているイベントハンドラによって、吹き出し状表示プログラム定義部１３に定義されている吹き出し状表示プログラムが実行される。吹き出し状表示プログラム定義部１３に定義されている吹き出し状表示プログラムは、広告情報の定義部１５に定義されている広告情報を、ｗｅｂページ上に重ねて表示する。
【００５０】
図７の例においては、広告情報の表示を制御する機能を示すことを目的としているので、広告情報としては、“ｋｏｕｋｏｕ＿ｊｏｕｈｏｕ”という単純な文字列が用いられ、広告情報の表示を制御する領域は、“ｋｏｕｋｏｕ＿ｈｙｏｕｊｉ”という単純な文字列が表示されるようになっている。図７のｗｅｂページデータをブラウザで閲覧すると、“ｋｏｕｋｏｕ＿ｈｙｏｕｊｉ”という文字列が表示され、“ｋｏｕｋｏｕ＿ｈｙｏｕｊｉ”という文字列が表示されている部分をポインティングデバイスのポインタで指し示すと、“ｋｏｕｋｏｕ＿ｊｏｕｈｏｕ”という文字列が、ｗｅｂページ上に重ねて表示される。このとき、ブラウザは、別のｗｅｂページに移行しない。
【００５１】
ここで、ポインティングデバイスのポインタが広告情報の表示を制御する領域から外れたときに、該広告情報が表示されなくなる機能を備えていない場合、ユーザは、広告情報を消したいと思っても消すことが出来ないので、不快に感ずる場合があるため、広告情報の表示を制御する領域がポインティングデバイスのポインタによって指し示されることによって、ｗｅｂページ上に吹き出し状表示方法に基づいて表示されていた広告情報が、ポインティングデバイスのポインタが広告情報の表示を制御する領域から外れたときに、表示されなくなる機能を備えてもよい。
【００５２】
図２３は、前記広告情報の表示を制御する領域がポインティングデバイスのポインタによって指し示されることによって、ｗｅｂページ上に吹き出し状に表示されていた広告情報が、ポインティングデバイスのポインタが広告情報の表示を制御する領域から外れたときに、表示されなくなる機能を備えたプログラムを組み込んだｗｅｂページデータの一例である。
【００５３】
図２３に示しているｗｅｂページデータの例の場合、広告情報の表示を制御する領域の定義部１７に記述されているイベントハンドラによって、ポインティングデバイスのポインタが広告情報の表示を制御する領域の内側に位置するのか外側に位置するのか検出する。
ポインティングデバイスのポインタが広告情報を制御する領域の内側に位置する場合には、吹き出し状表示プログラムの定義部１６に定義されている吹き出し状表示プログラムによって、広告情報の定義部１８に定義されている広告情報を、ｗｅｂページ上に重ねて表示する。
ポインティングデバイスのポインタが広告情報を制御する領域の外側に位置する場合には、吹き出し状表示プログラムの定義部１６に定義されている吹き出し状表示プログラムによって、広告情報の定義部１８に定義されている広告情報が、ｗｅｂページ上に表示されないようにする。
【００５４】
図８は、本発明の広告情報配信方法における、広告情報配信の手順の一例を概略図として示したものである。ステップＳ８０１のように、ユーザは、ブラウザに対し、ｗｅｂページ閲覧の指示を行う。次に、ステップＳ８０２のように、ブラウザは、ユーザからのｗｅｂページ閲覧の指示を受けて、ｗｅｂページを配信するｗｅｂサーバに、ｗｅｂページデータ要求信号を送信する。次に、ステップＳ８０３のように、ｗｅｂサーバは、ブラウザからのｗｅｂページデータ要求信号を受信する。次に、ステップＳ８０４のように、ｗｅｂサーバは、ブラウザに、ｗｅｂページデータを送信する。次に、ステップＳ８０５のように、ブラウザは、ｗｅｂサーバから、ｗｅｂページデータを受信する。次に、ステップＳ８０６のように、ブラウザは、ｗｅｂサーバから受信したｗｅｂページデータを解析する。ここで、前記ｗｅｂページデータは、広告情報の表示を制御する領域をｗｅｂページ上に設けるためのデータと、広告情報表示制御を行うためのプログラムデータを含んでいる。次に、ステップＳ８０７のように、ブラウザは、ｗｅｂページデータを解析した結果に基づき、前記広告情報の表示を制御する領域を備えるｗｅｂページを表示する。次に、ステップＳ８０８のように、ユーザは、広告情報制御領域を備えるｗｅｂページの閲覧を開始する。
【００５５】
ここで、ユーザが広告情報の閲覧を意図した場合、ステップＳ８０９のように、ユーザは、意図的に、ポインティングデバイスのポインタで、ｗｅｂページ上の広告情報の表示を制御する領域を指し示すことによって、ブラウザに対して、広告情報の表示を指示する。次に、ステップＳ８１０＿１のように、ブラウザは、ユーザからの広告情報の表示の指示を受けて、広告配信サーバに対して、広告情報データ要求信号を送信する。次に、ステップＳ８１０＿０のように、ユーザがブラウザに対して広告情報の表示を指示したことを、履歴記録サーバは履歴として記録する（以下、広告情報の表示を制御する領域が、前記ユーザ端末のポインティングデバイスのポインタに指し示されたことの履歴を、「広告情報表示指示履歴」とする）。次に、ステップＳ８１１のように、広告情報配信サーバは、ブラウザからの広告情報データ要求信号を受信する。次に、ステップＳ８１２のように、広告配信サーバは、ブラウザに広告情報データを送信する。次に、ステップＳ８１３のように、履歴記録サーバは、広告情報が広告配信サーバからブラウザに配信されたことを履歴として記録する（以下、前記広告情報が広告配信サーバからブラウザに配信されたことの履歴を「広告情報配信履歴」とする）。次に、ステップＳ８１４のように、ブラウザは、広告配信サーバからの広告情報データを受信する。次に、ステップＳ８１５のように、ブラウザは、受信した広告情報データを解析し、ｗｅｂページ上に、広告情報を表示する。次に、ステップＳ８１６のように、ユーザは、ｗｅｂページ上に表示された広告情報の閲覧を開始する。
【００５６】
ここで、ユーザが、広告情報に喚起されて、ターゲットｗｅｂページへの移行を意図した場合、ステップＳ８１７のように、ユーザは、ターゲットｗｅｂページへの移行の指示を行うため、広告情報の表示部もしくは広告情報の表示を制御する領域をクリックする。次に、ステップＳ８１８のように、ブラウザは、ユーザが広告情報の表示部もしくは広告情報の表示を制御する領域をクリックしたことを受けて、広告配信サーバに、広告情報のクリック発生信号を送信する。次に、ステップＳ８１９のように、広告配信サーバは、広告情報のクリック発生信号を受信する。次に、ステップＳ８２０のように、履歴記録サーバは、広告情報の表示部もしくは広告情報の表示を制御する領域がクリックされたことを履歴として記録する（以下、ユーザが、ターゲットｗｅｂページへの移行の指示を行うため、広告情報の表示部もしくは広告情報の表示を制御する領域をクリックしたことの履歴を「広告情報クリック履歴」とする）。次に、ステップＳ８２１のように、広告配信サーバは、ブラウザにターゲットｗｅｂページのアドレスなどのターゲットｗｅｂページ移行情報データを送信する。次に、ステップＳ８２２のように、ブラウザは、広告配信サーバからのターゲットｗｅｂページ移行情報データを受信する。次に、ステップＳ８２３のように、ブラウザは、ターゲットｗｅｂページ移行情報データの解析を行う。次に、ステップＳ８２４のように、ブラウザは、ターゲットｗｅｂへ移行し、ターゲットｗｅｂページを表示する。次に、ステップＳ８２５のように、ユーザは、ターゲットｗｅｂページの閲覧を開始する。
【００５７】
このように、本発明の広告情報配信方法においては、ユーザが自発的に広告情報を表示する指示を行うまで広告情報が広告掲載者のｗｅｂページ上に表示されない点が、従来の広告情報配信方法と大きく異なる。そして、本発明の広告情報配信方法においては、ユーザが自発的に広告情報を表示する指示を行ったことの履歴（広告情報表示指示履歴もしくは広告情報配信履歴）が記録される。
すなわち、本発明の広告情報配信方法においては、ユーザが自発的に広告情報を表示する指示を行うまで広告情報が広告掲載者のｗｅｂページ上に表示されず、かつ、ユーザが自発的に広告情報を表示する指示を行ったことの履歴（広告情報表示指示履歴もしくは広告情報配信履歴）が記録されるため、広告掲載者のｗｅｂページ上の広告情報がユーザに自発的に閲覧されているかどうかが明らかになる。
【００５８】
本発明の広告情報配信方法においては、ユーザが自発的に広告情報を表示したことの履歴を記録するステップとして、少なくとも、前記ステップＳ８１０＿０もしくは前記ステップＳ８１３のどちらか一方を備えていればよい。本発明の広告情報配信方法において、前記ステップＳ８１０＿０を備えている場合には、前記広告情報表示指示履歴が、ユーザが自発的に広告情報を表示したことの履歴に相当する。また、本発明の広告情報配信方法において、前記ステップＳ８１３を備えている場合には、前記広告情報配信履歴が、ユーザが自発的に広告情報を表示したことの履歴に相当する。
【００５９】
本発明の広告情報配信方法においては、ステップＳ８１０＿１において、ブラウザがユーザからの広告情報の表示の指示を受けたことを、ユーザに通知するための効果音を、ユーザ端末から出力するステップを伴ってもよい。ステップＳ８１０＿１において、前記効果音をユーザ端末から出力するステップは、ｗｅｂページデータに、スクリプト言語などで記述された、効果音を出力するプログラムを組み込むことで実現できる。ステップＳ８１０＿１において、ブラウザがユーザからの広告情報の表示の指示を受け付けたことを、ユーザに通知するための効果音を、ユーザ端末から出力するステップを備えることにより、ユーザは広告情報を表示させた臨場感を得ることができる。
【００６０】
本発明の広告情報配信方法においては、広告情報表示指示履歴に基づいて、広告配信サーバは、広告情報を配信してもよい。図９は、前記ステップＳ８１１とＳ８１２との間のステップで、広告配信サーバが、広告情報表示指示履歴に基づいて、広告情報を配信するステップの概要を示している。
【００６１】
図９において、広告情報表示指示履歴に基づいて、広告情報を配信するステップは、図９中の破線に囲まれた部分である。前記ステップＳ８１１のように、広告配信サーバは、ブラウザからの広告情報データ要求信号を受信した後、ステップＳ８１１＿１１のように、広告情報表示指示履歴の情報データを得るため、広告配信サーバは、履歴記録サーバに、広告情報表示指示履歴情報データの要求信号を履歴記録サーバに送信する。次に、ステップＳ８１１＿１２のように、履歴記録サーバは、広告配信サーバから、広告情報表示指示履歴の情報データの要求信号を受信する。次に、ステップＳ８１１＿１３のように、履歴記録サーバは、広告情報表示指示履歴の情報データを広告配信サーバに送信する。次に、ステップＳ８１１＿１４のように、広告配信サーバは、履歴記録サーバから、広告情報表示指示履歴の情報データを受信する。次に、ステップＳ８１１＿１５のように、履歴記録サーバから受信した広告情報表示指示履歴の情報を解析する。次に、ステップＳ８１１＿１６のように、広告情報表示指示履歴の情報の解析結果から、ブラウザへ配信する広告情報データを決定する。次に、ステップＳ８１２のように、前記広告情報データを、ブラウザに送信する。以上説明したようなステップを用いることで、広告配信サーバは、広告情報指示履歴に基づいて、広告情報を配信することができる。例えば、広告配信サーバは、広告情報表示指示履歴に基づいて、広告情報のアクセス状況などを広告情報に付加して配信することが出来る。また、例えば、広告配信サーバが複数の広告情報を配信する場合、複数の広告情報のアクセスするが平均化されるように、広告情報表示指示履歴に基づいて、広告情報の配信回数を調節することが出来る。
【００６２】
ここで、本発明の広告情報配信方法においては、広告配信サーバは、広告情報配信履歴に基づいて、広告情報を配信してもよい。図１０は、前記ステップＳ８１１とＳ８１２との間のステップで、広告情報配信履歴に基づいて、広告情報を配信するステップの概要を示している。
【００６３】
図１０において、広告情報配信履歴に基づいて、広告情報を配信するステップは、図１０中の破線に囲まれた部分である。前記ステップＳ８１１のように、広告配信サーバは、ブラウザからの広告情報データ要求信号を受信した後、ステップＳ８１１＿２１のように、広告情報配信履歴の情報を得るため、広告配信サーバは、履歴記録サーバに、広告情報配信履歴の情報データの要求信号を履歴記録サーバに送信する。次に、ステップＳ８１１＿２２のように、履歴記録サーバは、広告配信サーバから、広告情報配信履歴の情報データの要求信号を受信する。次に、ステップＳ８１１＿２３のように、履歴記録サーバは、広告情報配信履歴の情報データを広告配信サーバに送信する。次に、ステップＳ８１１＿２４のように、広告配信サーバは、履歴記録サーバから、広告情報配信履歴の情報データを受信する。次に、ステップＳ８１１＿２５のように、履歴記録サーバから受信した広告情報配信履歴の情報を解析する。次に、ステップＳ８１１＿２６のように、前記広告情報配信履歴の情報の解析結果から、ブラウザへ配信する広告情報データを決定する。次に、ステップＳ８１２のように、前記広告情報データを、ブラウザに送信する。以上、図１０を用いて説明したようなステップを用いることで、広告配信サーバは、広告情報配信履歴に基づいて、広告情報を配信することができる。例えば、広告配信サーバは、広告情報配信履歴に基づいて、広告情報のアクセス状況などを広告情報に付加して配信することが出来る。また、例えば、広告配信サーバが複数の広告情報を配信する場合、複数の広告情報のアクセスするが平均化されるように、広告情報端品履歴に基づいて、広告情報の配信回数を調節することが出来る。
【００６４】
ここで、本発明の広告情報配信方法においては、
広告情報表示指示履歴や広告情報配信履歴を記録する履歴記録サーバは、前記広告配信サーバと同じであってもよいし、広告配信サーバとは異なる別のサーバであってもよい。前記履歴記録サーバが、前記広告配信サーバと同じであるときには、広告の情報配信と閲覧履歴を同一サーバで管理・運営することができる。前記履歴記録サーバが、前記広告配信サーバと異なる別のサーバであるときには、例えば、履歴情報のみを独立して専門的に管理・運営することができる。
【００６５】
ここで、本発明の広告情報配信方法においては、
広告情報表示制御プログラムは、ユーザが操作するポインティングデバイスのポインタが広告情報の表示を制御する領域を指したとき、予めブラウザが読み込んでおいた広告情報をｗｅｂページ上に表示してもよい。この場合には、図８において、ステップＳ８１０＿１、Ｓ８１１、Ｓ８１２、Ｓ８１３、Ｓ８１４などの、広告情報配信に関わるステップを用いることなく、広告情報表示の指示のステップＳ８０９から、広告表示のステップＳ８１５に移るとともに、広告情報表示指示履歴を記録させるステップとしてステップＳ８１０＿０を用いる。この場合にも、ユーザが自発的に広告情報を表示したことの履歴が記録されるので、広告情報がユーザに自発的に閲覧されているかどうかを明らかにすることができる。
【００６６】
本発明の広告情報配信方法においては、ステップ８１５においてｗｅｂページ上に吹き出し状表示方法に基づいて広告情報を表示してもよい。ステップ８１５においてｗｅｂページ上に吹き出し状表示方法に基づいて広告情報を表示することで、広告掲載者は、ｗｅｂページのスペースを効率的に使うことができる。
【００６７】
本発明の広告情報配信方法においては、ターゲットｗｅｂページへの移行を指示するステップＳ８１７は、ｗｅｂページ上に表示もしくは吹き出し状に表示される広告情報とターゲットｗｅｂページとがリンクしている場合には、該広告情報の表示部分をクリックすることで行い、また、ｗｅｂページ上の広告情報の表示を制御する領域と、ターゲットｗｅｂページとがリンクしている場合には、広告情報の表示を制御する領域をクリックすることで行う。図８においては、ターゲットｗｅｂページと吹き出し状に表示される広告情報がリンクしている場合を図示している。
【００６８】
以上説明してきたように、本発明の広告情報配信方法を用いることにより、ユーザが自発的に広告情報を表示する指示を行うまで広告情報が広告掲載者のｗｅｂページ上に表示されず、かつ、ユーザが自発的に広告情報を表示する指示を行ったことの履歴（広告情報表示指示履歴もしくは広告情報配信履歴）が記録されるため、広告掲載者のｗｅｂページ上の広告情報がユーザに自発的に閲覧されているかどうかが明らかになる。
また、本発明の広告情報配信方法を用いることにより、ユーザがターゲットｗｅｂページに移行したことに相当する履歴（広告情報クリック履歴）と、広告情報表示指示履歴もしくは広告情報配信履歴とあわせて、２段階にわたるユーザの広告情報に関する行動（広告情報の閲覧指示とターゲットｗｅｂページへの移行）が履歴として記録されるため、従来の広告情報配信方法と比べて、ユーザの広告情報に関する行動をより詳細に把握することが出来る。
【００６９】
本発明における広告料金の算出方法は、本発明の広告情報配信方法に基づいて広告情報を配信した場合の広告料金の算出方法であって、その主たる目的は、ユーザが自発的に広告情報を表示させた回数に基づいて広告料金を算出する方法を提供することである。
【００７０】
図１２は、図１１に示しているような広告情報配信方法に基づいて、広告情報を配信した場合の、本発明における広告料金の算出方法の手順の一例を示している。
【００７１】
まず、図１１に示しているような広告情報の配信方法を説明する。ステップＳ１１０１のように、ユーザは、ｗｅｂページの閲覧指示をブラウザに対して行う。次に、ステップＳ１１０２のように、ブラウザは、ｗｅｂページ閲覧要求信号をｗｅｂサーバに送信する。次に、ステップＳ１１０３のように、ｗｅｂサーバは、ブラウザからの、ｗｅｂページ閲覧要求信号を受信する。次に、ステップＳ１１０４のように、ｗｅｂサーバはｗｅｂページデータをブラウザに送信する。次に、ステップＳ１１０５のように、ブラウザは、ｗｅｂサーバからのｗｅｂページデータを受信する。次に、ブラウザはステップＳ１１０６のように、ｗｅｂページデータを解析する。次に、ブラウザはステップＳ１１０７のように、ｗｅｂページデータの解析結果に基づき、広告情報の表示を制御する領域を備えたｗｅｂページを表示する。次に、ステップＳ１１０８のように、ユーザは、広告情報の表示を制御する領域を備えたｗｅｂページの閲覧を開始する。
【００７２】
ここで、ユーザが広告情報の閲覧を意図した場合、ステップＳ１１０９のように、ポインティングデバイスのポインタで、自発的に、ｗｅｂページ上の広告情報の表示を制御する領域を指し示すことによって、ブラウザに対して、広告情報の表示を指示する。次に、ステップＳ１１１０＿２のように、ブラウザは、広告情報の表示を行う。ここで、ブラウザは、広告情報の表示を、吹き出し状表示方法に基づいて行ってもよい。また、ステップＳ１１１０＿２とともに、ステップＳ１１１０＿１のように、履歴記録サーバは、広告情報表示指示履歴を記録する。次に、ステップ１１１１のように、ユーザは、広告情報の閲覧を開始する。
以上、図１１を用いて説明したような本発明の広告情報配信方法を用いて広告情報を配信した場合の、本発明における、広告料金の算出方法の手順の一例を、以下、図１２を用いて説明する。
【００７３】
図１２のステップＳ１２０１のように、広告配信サーバにおいて、広告料金の算出が開始されると、次にステップＳ１２０２のように、広告配信サーバは、履歴記録サーバに、前記広告情報表示指示履歴の情報を要求する。次に、ステップＳ１２０３のように、履歴記録サーバは、前記広告情報表示指示履歴の情報の要求を受信する。次に、ステップＳ１２０４のように、履歴記録サーバは、前記広告情報表示指示履歴の情報を、広告配信サーバに送信する。
次に、ステップＳ１２０５のように、広告配信サーバは、前記広告情報表示指示履歴の情報を受信する。次に、ステップＳ１２０６のように、広告配信サーバは、前記広告情報表示指示履歴の情報から、広告情報表示指示回数を算出する。次に、ステップＳ１２０７のように、前記広告情報表示指示回数に基づいて、広告料金を算出する。
【００７４】
以上、図１１と図１２を用いて説明したような手順をもって、広告料金を算出する場合、広告料金算出の基となっているのが、
ユーザが自発的に広告情報を表示させるために広告情報の表示を指示したことに連動して、履歴記録サーバが記録した広告情報表示指示履歴に基づいて算出された広告情報表示指示回数であるので、合理的な広告料金を算出することができる。
【００７５】
図１４は、図１３に示しているような広告情報配信方法に基づいて、広告情報を配信した場合の、本発明における広告料金の算出方法の手順の一例を示している。
【００７６】
まず、図１３に示しているような広告情報の配信方法を説明する。ステップＳ１３０１のように、ユーザは、ｗｅｂページの閲覧指示をブラウザに対して行う。次に、ステップＳ１３０２のように、ブラウザは、ｗｅｂページ閲覧要求信号をｗｅｂサーバに送信する。次に、ステップＳ１３０３のように、ｗｅｂサーバは、ブラウザからの、ｗｅｂページ閲覧要求信号を受信する。次に、ステップＳ１３０４のように、ｗｅｂサーバはｗｅｂページデータをブラウザに送信する。次に、ステップＳ１３０５のように、ブラウザは、ｗｅｂサーバからのｗｅｂページデータを受信する。次に、ブラウザはステップＳ１３０６のように、ｗｅｂページデータを解析する。次に、ブラウザはステップＳ３１０７のように、ｗｅｂページデータの解析結果に基づき、広告情報の表示を制御する領域を備えたｗｅｂページを表示する。次に、ステップＳ１３０８のように、ユーザは、広告情報の表示を制御する領域を備えたｗｅｂページの閲覧を開始する。
【００７７】
ここで、ユーザが広告情報の閲覧を意図した場合、ステップＳ１３０９のように、ポインティングデバイスのポインタで、自発的に、ｗｅｂページ上の広告情報の表示を制御する領域を指し示すことによって、ブラウザに対して、広告情報の表示を指示する。次に、ステップＳ１３１０＿１のように、履歴記録サーバは、広告情報表示指示履歴を記録するとともに、ステップＳ１３１０＿２のように、ブラウザは、広告情報データの要求を広告配信サーバに送信する。次に、ステップＳ１３１１のように、広告配信サーバは、ブラウザからの、広告情報データ要求を受信する。次に、ステップＳ１３１２のように、広告配信サーバは、ブラウザに広告情報データを送信する。次に、ステップＳ１３１３のように、ブラウザは、広告配信サーバからの広告情報データを受信する。次に、ステップＳ１３１４のように、ブラウザは広告情報を表示する。ここで、ブラウザは、広告情報の表示を、吹き出し状表示方法に基づいて行ってもよい。次に、ステップＳ１３１５のように、ユーザは、広告情報の閲覧を開始する。
【００７８】
以上、図１３を用いて説明したような本発明の広告情報配信方法を用いて、広告情報を配信した場合の、本発明における、広告料金の算出方法の手順の一例を、以下に、図１４を用いて説明する。
【００７９】
図１４のステップＳ１４０１のように、広告配信サーバにおいて、広告料金の算出が開始されると、次にステップＳ１４０２のように、広告配信サーバは、履歴記録サーバに、前記広告情報表示指示履歴の情報を要求する。次に、ステップＳ１４０３のように、履歴記録サーバは、前記広告情報表示指示履歴の情報の要求を受信する。次に、ステップＳ１４０４のように、履歴記録サーバは、前記広告情報表示指示履歴の情報を、広告配信サーバに送信する。
次に、ステップＳ１４０５のように、広告配信サーバは、前記広告情報表示指示履歴の情報を受信する。次に、ステップＳ１４０６のように、広告配信サーバは、前記広告情報表示指示履歴の情報から、広告情報表示指示回数を算出する。次に、ステップＳ１４０７のように、前記広告情報表示指示回数に基づいて、広告料金を算出する。
【００８０】
以上、図１３と図１４を用いて説明したような手順をもって、広告料金を算出する場合、広告料金算出の基となっているのが、ユーザが自発的に広告情報を表示させるために広告情報の表示を指示した回数であるので、合理的な広告料金を算出することができる。
また、この場合、図１１と図１２を用いて説明した場合と比べると、広告情報が、ユーザが自発的に広告を表示させるために広告情報の表示を指示した後に、広告配信サーバから配信されるの。このため、図１３、１４を用いて説明した手順の場合、ブラウザは、ユーザの自発的な指示があるまで、余分な広告情報を予め読み込む必要がない。
【００８１】
図１６は、図１５に示しているような広告情報配信方法に基づいて、広告情報を配信した場合の、本発明における、広告料金の算出方法の手順の一例を示している。
【００８２】
まず、図１５に示しているような広告情報の配信方法を説明する。ステップＳ１５０１のように、ユーザは、ｗｅｂページの閲覧指示をブラウザに対して行う。次に、ステップＳ１５０２のように、ブラウザは、ｗｅｂページ閲覧要求信号をｗｅｂサーバに送信する。次に、ステップＳ１５０３のように、ｗｅｂサーバは、ブラウザからの、ｗｅｂページ閲覧要求信号を受信する。次に、ステップＳ１５０４のように、ｗｅｂサーバはｗｅｂページデータをブラウザに送信する。次に、ステップＳ１５０５のように、ブラウザは、ｗｅｂサーバからのｗｅｂページデータを受信する。次に、ブラウザはステップＳ１５０６のように、ｗｅｂページデータを解析する。次に、ブラウザはステップＳ３１０７のように、ｗｅｂページデータの解析結果に基づき、広告情報の表示を制御する領域を備えたｗｅｂページを表示する。次に、ステップＳ１５０８のように、ユーザは、広告情報の表示を制御する領域を備えたｗｅｂページの閲覧を開始する。
【００８３】
ここで、ユーザが広告情報の閲覧を意図した場合、ステップＳ１５０９のように、ポインティングデバイスのポインタで、自発的に、ｗｅｂページ上の広告情報の表示を制御する領域を指し示すことによって、ブラウザに対して、広告情報の表示を指示する。次に、ステップＳ１５１０のように、ブラウザは、広告情報データの要求を広告配信サーバに送信する．次に、ステップＳ１５１１のように、広告配信サーバは、ブラウザからの、広告情報データ要求を受信する。次に、ステップＳ１５１２のように、広告配信サーバは、ブラウザに広告情報データを送信する。次に、ステップＳ１５１３＿１のように、履歴記録サーバは、広告情報配信履歴を記録する。次に、ステップＳ１５１３＿２のように、ブラウザは、広告配信サーバからの広告情報データを受信する。次に、ステップＳ１５１４のように、ブラウザは広告情報を表示する。ここで、ブラウザは、広告情報の表示を、吹き出し状表示方法に基づいて行ってもよい。次に、ステップＳ１５１５のように、ユーザは、広告情報の閲覧を開始する。
【００８４】
以上、図１５を用いて説明したような本発明の広告情報配信方法を用いて、広告情報を配信した場合の、本発明における広告料金の算出方法の手順の一例を、以下に、図１６を用いて説明する。
【００８５】
ステップＳ１６０１のように、広告配信サーバにおいて、広告料金算出が開始されると、次にステップＳ１６０２のように、広告配信サーバは、履歴記録サーバに、広告情報配信歴の情報を要求する。次に、ステップＳ１６０３のように、履歴記録サーバは、広告情報配信履歴の情報の要求を受信する。次に、ステップＳ１６０４のように、履歴記録サーバは、広告情報配信履歴の情報を、広告配信サーバに送信する。次に、ステップＳ１６０５のように、広告配信サーバは、広告情報配信履歴の情報を受信する。次に、ステップＳ１６０６のように、広告配信サーバは、広告情報配信履歴の情報から、広告情報配信回数を算出する。次に、ステップＳ１６０７のように、前記広告情報配信回数に基づいて、広告料金を算出する。
【００８６】
以上、図１５を用いて説明したような手順をもって、広告料金を算出する場合、広告料金算出の基となっているのが、
ユーザが自発的に広告情報を表示させるために広告情報の表示を指示したことに連動して、履歴記録サーバが記録した広告情報配信履歴に基づいて算出された広告情報配信回数である。
このため、図１５を用いて説明したような手順をもって、広告料金を算出する場合、ユーザが自発的に広告を閲覧した回数に相当する広告情報配信回数に基づいて広告料金を算出するため、合理的な広告料金が算出できる。
【００８７】
図１８は、図１７に示しているような広告情報配信方法に基づいて、広告情報を配信した場合の、本発明における広告料金の算出方法の手順の一例を示している。
【００８８】
まず、図１７に示しているような広告情報の配信方法を説明する。ステップＳ１７０１のように、ユーザは、ｗｅｂページの閲覧指示をブラウザに対して行う。次に、ステップＳ１７０２のように、ブラウザは、ｗｅｂページ閲覧要求信号をｗｅｂサーバに送信する。次に、ステップＳ１７０３のように、ｗｅｂサーバは、ブラウザからの、ｗｅｂページ閲覧要求信号を受信する。次に、ステップＳ１７０４のように、ｗｅｂサーバはｗｅｂページデータをブラウザに送信する。次に、ステップＳ１７０５のように、ブラウザは、ｗｅｂサーバからのｗｅｂページデータを受信する。次に、ブラウザはステップＳ１７０６のように、ｗｅｂページデータを解析する。次に、ブラウザはステップＳ１７０７のように、ｗｅｂページデータの解析結果に基づき、広告情報の表示を制御する領域を備えたｗｅｂページを表示する。次に、ステップＳ１７０８のように、ユーザは、広告情報の表示を制御する領域を備えたｗｅｂページの閲覧を開始する。
【００８９】
ここで、ユーザが広告情報の閲覧を意図した場合、ステップＳ１７０９のように、ポインティングデバイスのポインタで、自発的に、ｗｅｂページ上の広告情報の表示を制御する領域を指し示すことによって、ブラウザに対して、広告情報の表示を指示する。ステップＳ１７１０＿２のように、ブラウザは広告情報を表示する。ここで、ブラウザは、広告情報の表示を、吹き出し状表示方法に基づいて行ってもよい。また、ステップＳ１７１０＿２とともに、ステップＳ１７１０＿１のように、履歴記録サーバは、広告情報表示指示履歴を記録する。次に、ステップＳ１７１５のように、ユーザは、広告情報の閲覧を開始する。
【００９０】
ここで、ユーザが、ｗｅｂページ上に表示された広告情報を閲覧して、広告情報に興味が生じるなどして、ターゲットｗｅｂページへの移行を意図した場合、ステップＳ１７１６のように、ユーザは、ターゲットｗｅｂページへの移行の指示を行うため、ターゲットｗｅｂページへのリンク情報を備えた広告情報もしくは、広告情報の表示を制御する領域をクリックする。
【００９１】
次に、ステップＳ１７１７のように、ブラウザは、ユーザがｗｅｂページ上の広告情報の表示部をクリックしたことを受けて、広告配信サーバに、広告情報のクリック発生信号を送信する。次に、ステップＳ１７１８のように、広告配信サーバは、広告情報のクリック発生信号を受信する。次に、ステップＳ１７１９のように、履歴記録サーバは、広告情報クリック履歴を記録する。次に、ステップＳ１７２０のように、広告配信サーバは、ブラウザにターゲットｗｅｂページのアドレスなどのターゲットｗｅｂページ移行情報データを送信する。次に、ステップＳ１７２１のように、ブラウザは、広告配信サーバからのターゲットｗｅｂページ移行情報データを受信する。次に、ステップＳ１７２２のように、ブラウザは、ターゲットｗｅｂページ移行情報データの解析を行う。次に、ステップＳ１７２３のように、ブラウザは、ターゲットｗｅｂへ移行し、ターゲットｗｅｂページを表示する。次に、ステップＳ１７２４のように、ユーザは、ターゲットｗｅｂページの閲覧を開始する。
【００９２】
以上、図１７を用いて説明したような本発明の広告情報配信方法を用いて、広告情報を配信した場合の、本発明における、広告料金の算出方法の手順の一例を、以下に、図１８を用いて説明する。
【００９３】
ステップＳ１８０１のように、広告配信サーバにおいて、広告料金算出が開始されると、次にステップＳ１８０２のように、広告配信サーバは、履歴記録サーバに、広告情報表示指示歴の情報を要求する。次に、ステップＳ１８０３のように、履歴記録サーバは、広告情報表示指示履歴の情報の要求を受信する。次に、ステップＳ１８０４のように、履歴記録サーバは、広告情報表示指示履歴の情報を、広告配信サーバに送信する。次に、ステップＳ１８０５のように、広告配信サーバは、広告情報表示指示履歴の情報を受信する。次に、ステップＳ１８０６のように、広告配信サーバは、履歴記録サーバに、広告情報クリック履歴の情報を要求する。次に、ステップＳ１８０７のように、履歴記録サーバは、広告情報クリック履歴の情報の要求を受信する。次に、ステップＳ１８０８のように、履歴記録サーバは、広告情報クリック履歴の情報を広告配信サーバに送信する。次に、ステップＳ１８０９のように、広告配信サーバは、広告情報クリック履歴の情報を受信する。次に、ステップＳ１８１０のように、広告配信サーバは、履歴記録サーバから受信した広告情報表示指示履歴の情報から、広告情報表示指示回数を算出する。次に、ステップＳ１８１１のように、広告配信サーバは、履歴記録サーバから受信した広告情報クリック履歴の情報から、広告情報クリック回数を算出する。次に、ステップＳ１８１２のように、前記広告情報表示指示回数と広告情報クリック回数に基づいて、広告料金を算出する。
【００９４】
以上、図１８を用いて説明したような手順をもって、広告料金を算出する場合、広告料金算出の基となっているのは、
ユーザが自発的に広告情報を表示させるために広告情報の表示を指示したことに連動して、履歴記録サーバが記録した広告情報配信履歴に基づいて算出された広告情報配信回数と、
ユーザが自発的にターゲットｗｅｂページへ移行するために広告情報の表示部分をクリックしたことに連動して、履歴記録サーバが記録した広告情報クリック履歴に基づいて算出された広告情報クリック回数と、
である。すなわち、図１８を用いて説明したような広告料金の算出方法においては、ユーザの自発的な広告の閲覧と、ユーザの自発的なターゲットｗｅｂページへの移行の２段階にわたるユーザの自発的な行動の履歴に基づいて広告料金を算出するため、合理的な広告料金が算出できる。
【００９５】
図２０は、図１９に示しているような広告情報配信方法に基づいて、広告情報を配信した場合の、本発明における、広告料金の算出方法の手順の一例を示している。
【００９６】
まず、図１９に示しているような広告情報の配信方法を説明する。ステップＳ１９０１のように、ユーザは、ｗｅｂページの閲覧指示をブラウザに対して行う。次に、ステップＳ１９０２のように、ブラウザは、ｗｅｂページ閲覧要求信号をｗｅｂサーバに送信する。次に、ステップＳ１９０３のように、ｗｅｂサーバは、ブラウザからの、ｗｅｂページ閲覧要求信号を受信する。次に、ステップＳ１９０４のように、ｗｅｂサーバはｗｅｂページデータをブラウザに送信する。次に、ステップＳ１９０５のように、ブラウザは、ｗｅｂサーバからのｗｅｂページデータを受信する。次に、ブラウザはステップＳ１９０６のように、ｗｅｂページデータを解析する。次に、ブラウザはステップＳ１９０７のように、ｗｅｂページデータの解析結果に基づき、広告情報の表示を制御する領域を備えたｗｅｂページを表示する。次に、ステップＳ１９０８のように、ユーザは、広告情報の表示を制御する領域を備えたｗｅｂページの閲覧を開始する。
【００９７】
ここで、ユーザが広告情報の閲覧を意図した場合、ステップＳ１９０９のように、ポインティングデバイスのポインタで、自発的に、ｗｅｂページ上の広告情報の表示を制御する領域を指し示すことによって、ブラウザに対して、広告情報の表示を指示する。次に、ステップＳ１９１０＿１のように、履歴記録サーバは、広告情報表示指示履歴を記録するとともに、ステップＳ１９１０＿２のように、ブラウザは、広告情報データの要求を広告配信サーバに送信する。次に、ステップＳ１９１１のように、広告配信サーバは、ブラウザからの、広告情報データ要求を受信する。次に、ステップＳ１９１２のように、広告配信サーバは、ブラウザに広告情報データを送信する。次に、ステップＳ１９１３のように、ブラウザは、広告配信サーバからの広告情報データを受信する。次に、ステップＳ１９１４のように、ブラウザは広告情報を表示する。ここで、ブラウザは、広告情報の表示を、吹き出し状表示方法に基づいて行ってもよい。次に、ステップＳ１９１５のように、ユーザは、広告情報の閲覧を開始する。
【００９８】
ここで、ユーザが、ｗｅｂページ上に表示された広告情報を閲覧して、広告情報に興味が生じるなどして、ターゲットｗｅｂページへの移行を意図した場合、ステップＳ１９１６のように、ユーザは、ターゲットｗｅｂページへの移行の指示を行うため、ターゲットｗｅｂページへのリンク情報を備えた広告情報もしくは、広告情報の表示を制御する領域をクリックする。
【００９９】
次に、ステップＳ１９１７のように、ブラウザは、ユーザがｗｅｂページ上の広告情報の表示部をクリックしたことを受けて、広告配信サーバに、広告情報のクリック発生信号を送信する。次に、ステップＳ１９１８のように、広告配信サーバは、広告情報のクリック発生信号を受信する。次に、ステップＳ１９１９のように、履歴記録サーバは、広告情報クリック履歴を記録する。次に、ステップＳ１９２０のように、広告配信サーバは、ブラウザにターゲットｗｅｂページのアドレスなどのターゲットｗｅｂページ移行情報データを送信する。次に、ステップＳ１９２１のように、ブラウザは、広告配信サーバからのターゲットｗｅｂページ移行情報データを受信する。次に、ステップＳ１９２２のように、ブラウザは、ターゲットｗｅｂページ移行情報データの解析を行う。次に、ステップＳ１９２３のように、ブラウザは、ターゲットｗｅｂへ移行し、ターゲットｗｅｂページを表示する。次に、ステップＳ１９２４のように、ユーザは、ターゲットｗｅｂページの閲覧を開始する。
【０１００】
以上、図１９を用いて説明したような本発明の広告情報配信方法を用いて、広告情報を配信した場合の、本発明における、広告料金の算出方法の手順の一例を、以下に、図２０を用いて説明する。
【０１０１】
ステップＳ２００１のように、広告配信サーバにおいて、広告料金算出が開始されると、次にステップＳ２００２のように、広告配信サーバは、履歴記録サーバに、広告情報表示指示歴の情報を要求する。次に、ステップＳ２００３のように、履歴記録サーバは、広告情報表示指示履歴の情報の要求を受信する。次に、ステップＳ２００４のように、履歴記録サーバは、広告情報表示指示履歴の情報を、広告配信サーバに送信する。次に、ステップＳ２００５のように、広告配信サーバは、広告情報表示指示履歴の情報を受信する。次に、ステップＳ２００６のように、広告配信サーバは、履歴記録サーバに、広告情報クリック履歴の情報を要求する。次に、ステップＳ２００７のように、履歴記録サーバは、広告情報クリック履歴の情報の要求を受信する。次に、ステップＳ２００８のように、履歴記録サーバは、広告情報クリック履歴の情報を広告配信サーバに送信する。次に、ステップＳ２００９のように、広告配信サーバは、広告情報クリック履歴の情報を受信する。次に、ステップＳ２０１０のように、広告配信サーバは、履歴記録サーバから受信した広告情報表示指示履歴の情報から、広告情報表示指示回数を算出する。次に、ステップＳ２０１１のように、広告配信サーバは、履歴記録サーバから受信した広告情報クリック履歴の情報から、広告情報クリック回数を算出する。次に、ステップＳ２０１２のように、前記広告情報表示指示回数と広告情報クリック回数に基づいて、広告料金を算出する。
【０１０２】
以上、図２０を用いて説明したような手順をもって、広告料金を算出する場合、広告料金算出の基となっているのは、
ユーザが自発的に広告情報を表示させるために広告情報の表示を指示したことに連動して、履歴記録サーバが記録した広告情報表示指示履歴に基づいて算出された広告情報表示指示回数と、
ユーザが自発的にターゲットｗｅｂページへ移行するために広告情報の表示部分をクリックしたことに連動して、履歴記録サーバが記録した広告情報クリック履歴に基づいて算出された広告情報クリック回数と、
である。すなわち、図２０を用いて説明したような広告料金の算出方法においては、ユーザの自発的な広告の閲覧と、ユーザの自発的なターゲットｗｅｂページへの移行の２段階にわたるユーザの自発的な行動の履歴に基づいて広告料金を算出するため、合理的な広告料金が算出できる。
【０１０３】
図２２は、図２１に示しているような広告情報配信方法に基づいて、広告情報を配信した場合の、本発明における、広告料金の算出方法の手順の一例を示している。
【０１０４】
まず、図２１に示しているような広告情報の配信方法を説明する。ステップＳ２１０１のように、ユーザは、ｗｅｂページの閲覧指示をブラウザに対して行う。次に、ステップＳ２１０２のように、ブラウザは、ｗｅｂページ閲覧要求信号をｗｅｂサーバに送信する。次に、ステップＳ２１０３のように、ｗｅｂサーバは、ブラウザからの、ｗｅｂページ閲覧要求信号を受信する。次に、ステップＳ２１０４のように、ｗｅｂサーバはｗｅｂページデータをブラウザに送信する。次に、ステップＳ２１０５のように、ブラウザは、ｗｅｂサーバからのｗｅｂページデータを受信する。次に、ブラウザはステップＳ２１０６のように、ｗｅｂページデータを解析する。次に、ブラウザはステップＳ２１０７のように、ｗｅｂページデータの解析結果に基づき、広告情報の表示を制御する領域を備えたｗｅｂページを表示する。次に、ステップＳ２１０８のように、ユーザは、広告情報の表示を制御する領域を備えたｗｅｂページの閲覧を開始する。
【０１０５】
ここで、ユーザが広告情報の閲覧を意図した場合、ステップＳ２１０９のように、ポインティングデバイスのポインタで、自発的に、ｗｅｂページ上の広告情報の表示を制御する領域を指し示すことによって、ブラウザに対して、広告情報の表示を指示する。次に、ステップＳ２１１０のように、ブラウザは、広告情報データの要求を広告配信サーバに送信する．次に、ステップＳ２１１１のように、広告配信サーバは、ブラウザからの、広告情報データ要求を受信する。次に、ステップＳ２１１２のように、広告配信サーバは、ブラウザに広告情報データを送信する。次に、ステップＳ２１１３＿１のように、履歴記録サーバは、広告情報配信履歴を記録する。次に、ステップＳ２１１３＿２のように、ブラウザは、広告配信サーバからの広告情報データを受信する。次に、ステップＳ２１１４のように、ブラウザは広告情報を表示する。ここで、ブラウザは、広告情報の表示を、吹き出し状表示方法に基づいて行ってもよい。次に、ユーザは、広告情報の閲覧を開始する。
【０１０６】
ここで、ユーザが、ｗｅｂページ上に表示された広告情報を閲覧して、広告情報に興味が生じるなどして、ターゲットｗｅｂページへの移行を意図した場合、ステップＳ２１１６のように、ユーザは、ターゲットｗｅｂページへの移行の指示を行うため、ターゲットｗｅｂページへのリンク情報を備えた広告情報もしくは、広告情報の表示を制御する領域をクリックする。
【０１０７】
次に、ステップＳ２１１７のように、ブラウザは、ユーザがｗｅｂページ上の広告情報の表示部をクリックしたことを受けて、広告配信サーバに、広告情報のクリック発生信号を送信する。次に、ステップＳ２１１８のように、広告配信サーバは、広告情報のクリック発生信号を受信する。次に、ステップＳ２１１９のように、履歴記録サーバは、広告情報クリック履歴を記録する。次に、ステップＳ２１２０のように、広告配信サーバは、ブラウザにターゲットｗｅｂページのアドレスなどのターゲットｗｅｂページ移行情報データを送信する。次に、ステップＳ２１２１のように、ブラウザは、広告配信サーバからのターゲットｗｅｂページ移行情報データを受信する。次に、ステップＳ２１２２のように、ブラウザは、ターゲットｗｅｂページ移行情報データの解析を行う。次に、ステップＳ２１２３のように、ブラウザは、ターゲットｗｅｂへ移行し、ターゲットｗｅｂページを表示する。次に、ステップＳ２１２４のように、ユーザは、ターゲットｗｅｂページの閲覧を開始する。
【０１０８】
以上、図２１を用いて説明したような本発明の広告情報配信方法を用いて、広告情報を配信した場合の、本発明における、広告料金の算出方法の手順の一例を、以下に、図２２を用いて説明する。
【０１０９】
ステップＳ２２０１のように、広告配信サーバにおいて、広告料金算出が開始されると、次にステップＳ２２０２のように、広告配信サーバは、履歴記録サーバに、広告情報配信歴の情報を要求する。次に、ステップＳ２２０３のように、履歴記録サーバは、広告情報配信履歴の情報の要求を受信する。次に、ステップＳ２２０４のように、履歴記録サーバは、広告情報配信履歴の情報を、広告配信サーバに送信する。次に、ステップＳ２２０５のように、広告配信サーバは、広告情報配信履歴の情報を受信する。次に、ステップＳ２２０６のように、広告配信サーバは、履歴記録サーバに、広告情報クリック履歴の情報を要求する。次に、ステップＳ２２０７のように、履歴記録サーバは、広告情報クリック履歴の情報の要求を受信する。次に、ステップＳ２２０８のように、履歴記録サーバは、広告情報クリック履歴の情報を広告配信サーバに送信する。次に、ステップＳ２２０９のように、広告配信サーバは、広告情報クリック履歴の情報を受信する。次に、ステップＳ２２１０のように、広告配信サーバは、履歴記録サーバから受信した広告情報配信履歴の情報から、広告情報配信回数を算出する。次に、ステップＳ２２１１のように、広告配信サーバは、履歴記録サーバから受信した広告情報クリック履歴の情報から、広告情報クリック回数を算出する。次に、ステップＳ２２１２のように、前記広告情報配信回数と広告情報クリック回数に基づいて、広告料金を算出する。
【０１１０】
以上、図２２を用いて説明したような手順をもって、広告料金を算出する場合、広告料金算出の基となっているのは、
ユーザが自発的に広告情報を表示させるために広告情報の表示を指示したことに連動して、履歴記録サーバが記録した広告情報配信履歴に基づいて算出された広告情報配信回数と、
ユーザが自発的にターゲットｗｅｂページへ移行するために広告情報の表示部分をクリックしたことに連動して、履歴記録サーバが記録した広告情報クリック履歴に基づいて算出された広告情報クリック回数と、
である。すなわち、図２２を用いて説明したような広告料金の算出方法においては、ユーザの自発的な広告の閲覧と、ユーザの自発的なターゲットｗｅｂページへの移行の２段階にわたるユーザの自発的な行動の履歴に基づいて広告料金を算出するため、合理的な広告料金が算出できる。
【０１１１】
以上説明したように、本発明における広告料金の算出方法を用いることで、広告依頼者は、ユーザが自発的に広告情報を表示させた場合に対して広告料を支払えばよいので、いわゆる広告の無駄うちを減らすことができ、また、広告掲載者は、ユーザが、自発的に広告を表示させれば、広告料金を得ることができるので、広告依頼者と広告掲載者の間で、合理的に算出された広告料金の授受を行うことが可能となる。
【０１１２】
【発明の効果】
本発明の広告情報配信方法を用いることにより、広告依頼者が広告掲載者に依頼して、広告掲載者のｗｅｂページに掲載される広告情報を、ユーザが自発的に閲覧したかどうかを明らかにすることが可能となる。
また、本発明の広告料金の算出方法を用いることにより、広告依頼者と広告掲載者の間において、合理的に算出された広告料金の授受を行うことが可能となる。
【図面の簡単な説明】
【図１】従来の広告情報配信方法の手順の概略図
【図２】本発明の前提部分となる、インターネットとユーザ端末とｗｅｂサーバと履歴記録サーバと広告配信サーバとの関係の概略図
【図３】指示呼応方法を用いてｗｅｂページ上に広告情報を表示した場合の一例を示した図
【図４】指示呼応方法を用いてｗｅｂページ上に複数の広告情報を表示した場合の一例を示した図
【図５】吹き出し状表示方法を用いてｗｅｂページ上に広告情報を表示した場合の一例を示した図
【図６】吹き出し状表示方法を用いてｗｅｂページ上に複数の広告情報を表示した場合の一例を示した図
【図７】吹き出し状表示プログラムを組み込んだｗｅｂページデータの一例を示した図
【図８】本発明の広告情報配信方法に手順の概略図
【図９】広告情報表示指示履歴に基づいて、広告情報を配信するステップの概略図
【図１０】広告情報配信履歴に基づき、広告情報を配信するステップの概略図
【図１１】本発明に係る、広告情報配信方法の手順の一例を示す図
【図１２】本発明に係る、広告料金の算出方法の手順の一例を示す図
【図１３】本発明に係る、広告情報配信方法の手順の一例を示す図
【図１４】本発明に係る、広告料金の算出方法の手順の一例を示す図
【図１５】本発明に係る、広告情報配信方法の手順の一例を示す図
【図１６】本発明に係る、広告料金の算出方法の手順の一例を示す図
【図１７】本発明に係る、広告情報配信方法の手順の一例を示す図
【図１８】本発明に係る、広告料金の算出方法の手順の一例を示す図
【図１９】本発明に係る、広告情報配信方法の手順の一例を示す図
【図２０】本発明に係る、広告料金の算出方法の手順の一例を示す図
【図２１】本発明に係る、広告情報配信方法の手順の一例を示す図
【図２２】本発明に係る、広告料金の算出方法の手順の一例を示す図
【図２３】吹き出し状表示プログラムを組み込んだｗｅｂページデータの一例を示した図
【符号の説明】
１０１　ｗｅｂページ
１０２　ｗｅｂページ
１１１　ｗｅｂページ
１１２　ｗｅｂページ
２０１　広告情報の表示を制御する領域
２０２　広告情報の表示を制御する領域
２０３　広告情報の表示を制御する領域
２０４　広告情報の表示を制御する領域
２１１　広告情報の表示を制御する領域
２１２　広告情報の表示を制御する領域
２１３　広告情報の表示を制御する領域
２１４　広告情報の表示を制御する領域
３　ポインティングデバイスのポインタ
４０１　広告情報表示領域
４０２　広告情報表示領域
５０１　広告情報
５０２　広告情報
５０３　広告情報
５０４　広告情報
５１１　広告情報
５１２　広告情報
５１３　広告情報
５１４　広告情報
６　ユーザ端末
７　ｗｅｂサーバ
８　履歴記録サーバ
９　広告配信サーバ
１０　インターネット
１１　ブラウザ
１２　ｗｅｂページ
１３　吹き出し状表示プログラムの定義部
１４　広告情報表示を制御する領域の定義部
１５　広告情報の定義部
１６　吹き出し状表示プログラムの定義部
１７　広告情報表示を制御する領域の定義部
１８　広告情報の定義部
【図１】
2004030146.tif 000003
【図２】
2004030146.tif 000004
【図３】
2004030146.tif 000005
【図４】
2004030146.tif 000006
【図５】
2004030146.tif 000007
【図６】
2004030146.tif 000008
【図７】
2004030146.tif 000009
【図８】
2004030146.tif 000010
【図９】
2004030146.tif 000011
【図１０】
2004030146.tif 000012
【図１１】
2004030146.tif 000013
【図１２】
2004030146.tif 000014
【図１３】
2004030146.tif 000015
【図１４】
2004030146.tif 000016
【図１５】
2004030146.tif 000017
【図１６】
2004030146.tif 000018
【図１７】
2004030146.tif 000019
【図１８】
2004030146.tif 000020
【図１９】
2004030146.tif 000021
【図２０】
2004030146.tif 000022
【図２１】
2004030146.tif 000023
【図２２】
2004030146.tif 000024
【図２３】
2004030146.tif 000025